(57)【要約】  【課題】  侵入物に関係なく標識球体をスムーズに下降させる。  【解決手段】  凹所２の内部を、下降した標識球体３の外表面３ａと係止孔５との隙間Ｓに連通する標識球体３の収納領域２ａと、押圧手段４が配備される標識球体３の昇降路２ｂとに仕切手段６で密閉状に仕切って、これら標識球体３の収納領域２ａから標識球体３の昇降路２ｂへ物体が移動不能に分割することにより、上記隙間Ｓから標識球体３の収納領域２ａ内へ砂や砂利や雪などの固体や雨水などの流体が入っても、仕切手段６で標識球体３の昇降路２ｂ内へ侵入せず、該昇降路２ｂが空間のまま維持されると共に、標識球体３の収納領域２ａ内に入った水が凍結しても、標識球体３の下降に障害とならない。  【選択図】      図１
2006241895.tif 000002
【特許請求の範囲】
【請求項１】
路面（１）の凹所（２）内に収納された標識球体（３）を押圧手段（４）により上方向へ弾性的に押圧して昇降自在に支持し、この標識球体（３）の外表面（３ａ）を、路面（１）に開設された係止孔（５）に対し当接させて、該係止孔（５）から出没動自在に埋設した道路鋲において、
前記凹所（２）の内部を、下降した標識球体（３）の外表面（３ａ）と係止孔（５）との隙間（Ｓ）に連通する標識球体（３）の収納領域（２ａ）と、押圧手段（４）が配備される標識球体（３）の昇降路（２ｂ）とに仕切手段（６）で密閉状に仕切って、これら標識球体（３）の収納領域（２ａ）から標識球体（３）の昇降路（２ｂ）へ物体が移動不能に分割したことを特徴とする道路鋲。
【請求項２】
前記仕切手段（６）として、上下方向へ弾性変形可能な伸縮ケース（６ａ）を、前記標識球体（３）の周囲を包み込むように設け、この標識球体（３）の下降に伴って伸縮ケース（６ａ）を下方へ膨張変形させた請求項１記載の道路鋲。
【請求項３】
前記係止孔（５）に、標識球体（３）の外表面（３ａ）と対向して弾性材料からなる緩衝突起（５ａ）を突設した請求項１または２記載の道路鋲。
【請求項４】
前記標識球体（３）の上昇に伴って昇降路（２ｂ）内へ入り込む気体の流量を制限する弁（８）を設けた請求項１、２または３記載の道路鋲。
【発明の詳細な説明】
【技術分野】
【０００１】
本発明は、道路上の車両通行帯、中央線、車両境界線などの標示や、車道と路側帯の境界線や、交差点及びその他の危険箇所などのに境界線として設置され、特に積雪地に好適な道路鋲に関する。
詳しくは、路面の凹所内に収納された標識球体を押圧手段により上方向へ弾性的に押圧して昇降自在に支持し、この標識球体の外表面を、路面に開設された係止孔に対し当接させて、該係止孔から出没動自在に埋設した道路鋲に関する。
【背景技術】
【０００２】
従来、この種の道路鋲として、路面に埋設する支台の内部に凹所（腔所）があり、そこに設けられる押圧手段（スプリング）の上部を受皿に当接させ、この受皿に設けられた回転自在なボールの上に標識体（鏡体）を支持することにより、支台の上部に開設した係止孔から標識球体が出没動自在に埋設され、この標識球体を自動車等が踏むと、その重圧で標識球体が下降し、上記重圧が解放されると、押圧手段で標識球体を持ち上げながら回転して、上記係止孔に設けられたフェルト等の柔軟材料により該標識球体の表面を清浄化する自動車灯火の反射鏡がある（例えば、特許文献１参照）。
また、路面に凹設された凹所（収納穴）の上面開口を蓋体で閉塞し、この蓋体に係止孔（係止手段、貫通孔）が開穿され、この蓋体の下方には標識球体（標識体）と、それを上記係止孔へ向け押圧する押圧手段（圧縮コイルバネ）を設け、この押圧手段で標識球体を弾性的に押圧して昇降自在に支持すると共に、その上昇位置で標識球体の外表面を係止孔に対し回転自在に当接させることにより、標識球体に下向きの荷重が作用した時に、該標識球体が回転してその衝撃力を分散しながら押圧手段を圧縮変形させて下降するものもある（例えば、特許文献２参照）。
【０００３】
【特許文献１】特開昭４８−８７６３３号公報（第１−２頁、第４−５図）
【特許文献２】特開２００２−２３５３０７号公報（第３−５頁、図１−３）
【発明の開示】
【発明が解決しようとする課題】
【０００４】
しかし乍ら、このような従来の道路鋲では、下降した標識球体の外表面と係止孔との隙間から凹所内へ砂や小さな砂利や冬期には雪などの固体が入ると、そのまま凹所の底面に溜まって標識球体の昇降路である押圧手段の配設位置へ侵入するため、これが障害となって標識球体の下降を阻止する恐れがある。
また隙間から凹所内へ侵入物が雨水などの流体であっても、浸透せずに凹所の底面に溜まったまま氷点下になり、標識球体の昇降路内で凍結すると、それが障害となって標識球体のスムーズな下降を邪魔する恐れがある。
このような障害物によって下降が阻止された場合には、標識球体が路面から突出したままになるため、除雪車のスクリュー型羽根車やショベルが衝突して、これら両者が共に破損して、路面除雪作業の障害となるという問題があった。
更に、下降不能な標識球体の回りに水が溜まったまま氷点下になると、その水が凍結して膨張するため、下降不能な標識球体や係止孔が破損する恐れもあって、長期に亘って使用できないという問題もあった。
【０００５】
本発明のうち請求項１記載の発明は、侵入物に関係なく標識球体をスムーズに下降させることを目的としたものである。
請求項２記載の発明は、請求項１に記載の発明の目的に加えて、簡単な構造で標識球体の昇降路内への物体移動を阻止することを目的としたものである。
請求項３記載の発明は、請求項１または２に記載の発明の目的に加えて、硬質材料からなる係止孔と標識球体との衝突音の発生を防止することを目的としたものである。
請求項４記載の発明は、請求項１、２または３に記載の発明の目的に加えて、硬質材料からなる係止孔と標識球体との衝突音の発生を防止することを目的としたものである。
【課題を解決するための手段】
【０００６】
前述した目的を達成するために、本発明のうち請求項１記載の発明は、凹所の内部を、下降した標識球体の外表面と係止孔との隙間に連通する標識球体の収納領域と、押圧手段が配備される標識球体の昇降路とに仕切手段で密閉状に仕切って、これら標識球体の収納領域から標識球体の昇降路へ物体が移動不能に分割したことを特徴とするものである。
請求項２記載の発明は、請求項１記載の発明の構成に、前記仕切手段として、上下方向へ弾性変形可能な伸縮ケースを、前記標識球体の周囲を包み込むように設け、この標識球体の下降に伴って伸縮ケースを下方へ膨張変形させた構成を加えたことを特徴とする。
請求項３記載の発明は、請求項１または２記載の発明の構成に、前記係止孔に、標識球体の外表面と対向して弾性材料からなる緩衝突起を突設した構成を加えたことを特徴とする。
請求項４記載の発明は、請求項１、２または３記載の発明の構成に、前記標識球体の上昇に伴って昇降路内へ入り込む気体の流量を制限する弁を設けた構成を加えたことを特徴とする。
【発明の効果】
【０００７】
本発明のうち請求項１記載の発明は、凹所の内部を、下降した標識球体の外表面と係止孔との隙間に連通する標識球体の収納領域と、押圧手段が配備される標識球体の昇降路とに仕切手段で密閉状に仕切って、これら標識球体の収納領域から標識球体の昇降路へ物体が移動不能に分割することにより、上記隙間から標識球体の収納領域内へ砂や砂利や雪などの固体や雨水などの流体が入っても、仕切手段で標識球体の昇降路内へ侵入せず、該昇降路が空間のまま維持されると共に、標識球体の収納領域内に入った水が凍結しても、標識球体の下降に障害とならない。
従って、侵入物に関係なく標識球体をスムーズに下降させることができる。
その結果、隙間から入った固体や流体が標識球体の昇降路内へ侵入して標識球体の下降を阻止する恐れがある従来のものに比べ、除雪車のスクリュー型羽根車やショベルによる除雪時に、標識体及びスクリュー型羽根車やショベルなどが破損せず、路面除雪作業の障害とならない。
更に、標識球体の回りに溜まった水が凍結膨張しても、それに伴って標識球体が下降するため、標識球体や係止孔の破損をも防止できて、長期に亘り使用できて経済的である。
【０００８】
請求項２の発明は、請求項１の発明の効果に加えて、前記仕切手段として、上下方向へ弾性変形可能な伸縮ケースを、標識球体の周囲を包み込むように設け、この標識球体の下降に伴って伸縮ケースを下方へ膨張変形させることにより、隙間からの侵入物が全て伸縮ケース内に溜まって、標識球体の昇降路へは流出しない。
従って、簡単な構造で標識球体の昇降路内への物体移動を阻止ことができる。
その結果、安価に大量生産できる。
【０００９】
請求項３の発明は、請求項１または２の発明の効果に加えて、前記係止孔に、標識球体の外表面と接離する緩衝突起を突設することにより、上昇する標識球体の外表面が緩衝突起に当接して係止孔に突き当たることはない。
従って、硬質材料からなる係止孔と標識球体との衝突音の発生を防止することができる。
その結果、標識球体が静かに昇降して、設置位置の近隣に騒音で迷惑をかける心配がなく、病院や図書館や住宅地などを通る道路にも安心して設置できる。
【００１０】
請求項４の発明は、請求項１、２または３の発明の効果に加えて、標識球体の上昇に伴って昇降路内へ入り込む気体の流量を制限する弁を設けることにより、標識球体の上昇速度が遅くなる。
従って、硬質材料からなる係止孔と標識球体との衝突音の発生を防止することができる。
その結果、標識球体が静かに昇降して、設置位置の近隣に騒音で迷惑をかける心配がなく、病院や図書館や住宅地などを通る道路にも安心して設置できる。
【発明を実施するための最良の形態】
【００１１】
本発明の道路鋲Ａは、図１及び図２に示す如く、路面１に凹設された凹所２内に球形の標識球体３を収納し、この標識球体３の下から押圧手段４により上方向へ弾性的に押圧して昇降自在に支持すると共に、該標識球体３の外表面３ａを、路面１に開設された係止孔５に対し回転自在に当接させて、この係止孔５から標識球体３を出没動自在で且つ回転自在に埋設している。
【００１２】
そして、上記凹所２の内部は、標識球体３が収納配備される収納領域２ａと、押圧手段４が配備される標識球体３の昇降路２ｂとに仕切手段６で密閉状に仕切られ、これら標識球体３の収納領域２ａから標識球体３の昇降路２ｂへ物体が移動しないように分割している。
【００１３】
上記標識球体３は、特開２００２−２３５３０７号公報に開示される如く、例えば硬質合成樹脂などの透明材料で形成してその外表面３ａを球面とし、内部を中空に形成して、その内表面に凹凸部（図示せず）を形成して入射光線を偏向反射させるか、又は内部に配備した発光体（図示せず）と電池（図示せず）などにより自ら発光させるなどして、道路の通行者に注意を喚起することが望ましい。
【００１４】
上記押圧手段４は、例えばバネやゴムなどの弾性体で形成され、標識球体３の下降及び上昇に伴って上下方向へ圧縮及び伸長変形することにより、その上方に区画形成される前記標識球体３の収納領域２ａの容積が収縮及び膨張して増減すると共に、この収納領域２ａの上端が、路面１の係止孔５と、それに対し接離動する標識球体３の外表面３ａとによって開閉し、下降時の標識球体３との間にできる隙間Ｓと連通している。
【００１５】
従って、この隙間Ｓから標識球体３の収納領域２ａ内に、例えば砂や砂利や雪などの固体や雨水などの流体が入っても、これらが上記仕切手段６によって、該収納領域２ａから標識球体３の昇降路２ｂ内へ侵入することはなく、該昇降路２ｂが空間のまま維持され、また冬期において標識球体３の収納領域２ａ内に入った水が凍結しても、標識球体３の下降に障害とならないので、隙間Ｓからの侵入物に関係なく冬期でも標識球体３をスムーズに下降できる。
更に、標識球体３の回りに溜まった水が凍結膨張しても、それに伴って標識球体３が下降するから、標識球体３や係止孔５の破損を防止できる。
以下、本発明の一実施例を図面に基づいて説明する。
【実施例１】
【００１６】
この実施例１は、図１及び図２に示す如く、前記路面１の凹所２に前記標識球体３の外径より若干大きな収納枠２ｃを埋め込み、この収納枠２ｃの内部に前記仕切手段６として、上下方向へ弾性的に伸縮変形可能な伸縮ケース６ａを、前記標識球体３の周囲にそれを包み込むように設け、この標識球体３の下降に伴ってコイルバネからなる押圧手段４のを圧縮変形させることにより、伸縮ケース６ａが下方へ膨張変形する場合を示すものである。
【００１７】
上記収納枠２ｃは、円筒形又は角筒形でその一端開口を底壁２ｄにて覆った有底筒状に形成され、その外径より若干大きな凹所２を路面１に空けた後、該収納枠２ｃを差し込んで設置することにより、収納枠２ｃの内部内部へ、凹所２の内周面や底面などから水や砂又はその他の侵入が無いようにしている。
【００１８】
上記収納枠２ｃの上端には、前記係止孔５が開穿された上蓋７を嵌合させて載置するか、又は収納枠２ｃの上面を覆うように載置し、この上蓋７を例えばネジなどの固定手段７ａで着脱自在に取り付け、この上蓋７を取り外すことにより、収納枠２ｃを埋め込んだ状態で、標識球体３や後述する仕切手段６の伸縮ケース６ａなどを交換可能にしている。
この上蓋７には、前記係止孔５を下方へ向けて徐々に拡径するテーパー状に貫通させている。
【００１９】
上記仕切手段６の伸縮ケース６ａは、例えば軟質合成樹脂などの弾性変形可能な材料で円筒形に形成され、その周壁６ｂの一部又は全部を、例えば蛇腹状に成形するなどして上下方向へ伸縮可能に形成し、その上端に一体成形したフランジ部６ｃを上記収納枠２ｃの上端部分と上蓋７との間に挟み込んで着脱自在に取り付けている。
【００２０】
上記伸縮ケース６ａの下端には、弾性変形不能な材料からなる受け板６ｄを略水平に固着して、この受け板６ｄを挟んで上方には前記標識球体３の収納領域２ａが、下方には標識球体３の昇降路２ｂか区画形成される。
【００２１】
更に、上記受け板６ｄの上面には、標識球体３の外表面３ａと係合する台座６ｅを突設するか又は凹設して、標識球体３と回転自在に支持し、該受け板６ｄの下面から上記収納枠２ｃの底壁２ｄに亘って押圧手段４のコイルバネを介装すると共に、これら受け板６ｄの下面と底壁２ｄの上面には、係合部６ｆ，２ｅを夫々突設又は凹設して、押圧手段４の位置ズレを防止している。
【００２２】
上記台座６ｅの形状は、図示例の場合、その上端を断面鋭角にして、標識球体３との接触面積を減らすことにより、標識球体３の回転性能を高め、更に標識球体３の回転に伴って、伸縮ケース６ａ内に溜まった隙間Ｓからの侵入物が台座６ｅの内側へ噛み込んで入るのを防止しているが、図示例以外の形状であっても良い。
【００２３】
また、前記係止孔５には、標識球体３の外表面３ａと対向して弾性変形可能な材料からなる緩衝突起５ａを突設し、標識球体３の上昇に伴いその外表面３ａが緩衝突起５ａに当接して係止孔５に激しく衝突するのを防止している。
【００２４】
この緩衝突起５ａは、図示例の場合、例えばゴムなど弾性変形可能な材料で上蓋７と別個に成形された緩衝リングを、上記係止孔５の表面に凹設した環状溝７ｂに嵌挿することで係止孔５から突出させているが、上蓋７に緩衝突起５ａを一体的に形成することも可能である。
【００２５】
次に、斯かるの道路鋲Ａの作動について説明する。
先ず、図１に示す突出状態で標識球体３を自動車などが踏んで、下向きの荷重が作用すると、図２に示す如く、この標識球体３が回転してその衝撃力を分散しながら押圧手段４の弾性体を圧縮変形させて下降し、上記荷重が解放されると、押圧手段４の弾性体が伸長変形して標識球体３を持ち上げながら回転して係止孔５に当接させる。
【００２６】
上記標識球体３の下降時には、その外表面３ａと係止孔５との隙問から仕切手段６の伸縮ケース６ａ内へ、例えば砂や砂利や雪などの固体や雨水などの流体が入り込むものの、これらの侵入物で該伸縮ケース６ａの内部が一杯になった後は、それ以上に入り込むことはなくなる。
【００２７】
この伸縮ケース６ａ内に入り込んだ固体や流体は、該伸縮ケース６ａと受け板６ｄで囲まれた前記標識球体３の収納領域２ａ内に全て溜まって、この受け板６ｄの下方に区画形成される標識球体３の昇降路２ｂへ流れ出ることはなく、標識球体３の昇降路２ｂは空間のままで維持されて、標識球体３の下降に障害とならない。
【００２８】
従って、簡単な構造の伸縮ケース６ａであっても、隙間Ｓからの侵入物が標識球体３の昇降路２ｂ内へ移動せず、該昇降路２ｂが空間のまま維持されて標識球体３をスムーズに下降できる。
更に、伸縮ケース６ａ内に入り込んだ水が凍結しても、それに影響されることなく、伸縮ケース６ａ及び標識球体３の全体が上下動するので、冬期でも標識球体３をスムーズに下降できる。
【００２９】
また、標識球体３の上昇時には、その外表面３ａが弾性材料からなる緩衝突起５ａに当接して係止孔５に激しく衝突しないので、硬質材料からなる係止孔５との大きな衝突音が発生しないという利点がある。
【実施例２】
【００３０】
この実施例２は、図３に示す如く、前記標識球体３の上昇に伴って昇降路２ｂ内へ入り込む気体の流量を制限する通気弁８を設け構成が、前記図１及び図２に示した実施例１とは異なり、それ以外の構成は図１及び図２に示した実施例１と同じものである。
図示例の場合には、仕切手段６の周壁６ｂの外周面から収納枠２ｃの内周面に向けて弾性変形可能な通気弁８の弁体を一体成形するか又は一体的に設けている。
【００３１】
そして、標識球体３を自動車などが踏んで下向きの荷重が作用すると、標識球体３の下降に伴い、昇降路２ｂ内の空気が通気弁８の弁体を通って、周壁６ｂの外周面と収納枠２ｃの内周面との間に形成される空間９へ一気に流れ込む。
その後に上記荷重が解放されると、押圧手段４の弾性体が伸長変形して標識球体３を持ち上げようとするが、通気弁８の弁体により昇降路２ｂ内へ入り込む空気の流量が制限されるため、標識球体３の上昇速度が遅くなる。
【００３２】
従って、図３に示す実施例２は、標識球体３の外表面３ａが係止孔５に激しく衝突しないので、大きな衝突音が発生しない。
その結果、前記図１及び図２に示した実施例１よりも係止孔５に弾性材料からなる緩衝突起５ａを突設しなくても良いから部品点数を減らせるが、緩衝突起５ａを突設するれば更に衝突音を小さくできるという利点がある。
【００３３】
尚、前示実施例では、前記路面１の凹所２に有底筒状の収納枠２ｃを埋め込んだが、これに限定されず、この収納枠２ｃの底面を開口したり、特開２００２−２３５３０７号公報に開示されるように、上記収納枠２ｃを積み重ねて相互に連結可能な複数の筒状枠で構成し、これら筒状枠の積み重ね段数を変えることにより、路面１の摩耗や舗装工事によって表面の舗装層の厚さ寸法が変化した場合でも簡単に調整できるようにしても良い。
【００３４】
更に、前記仕切手段６として、上下方向へ弾性変形可能な伸縮ケース６ａにより標識球体３の収納領域２ａを密閉状に覆って、標識球体３の下降に伴い伸縮ケース６ａを下方へ膨張変形させたが、これに限定されず、上記伸縮ケース６ａに代えて、標識球体３の昇降路２ｂを密閉状に覆って標識球体３の下降に伴い収縮変形させるなど、隙間Ｓから標識球体３の昇降路２ｂ内への物体移動を阻止できれば、他の構造であっても良い。
また、伸縮ケース６ａと受け板６ｄとを別個に形成して固着したが、これら両者を一体的に形成しても良い。
【００３５】
また更に、仕切手段６の周壁６ｂの外周面から収納枠２ｃの内周面に向けて弾性変形可能な通気弁８の弁体を一体成形するか又は一体的に設けた場合を示したが、これに限定されず、標識球体３の上昇に伴って昇降路２ｂ内へ入り込む気体の流量を制限する弁８であれば、他の弁構造であっても良い。
【図面の簡単な説明】
【００３６】
【図１】本発明の一実施例を示す道路鋲の縦断面図であり、標識球体が路面から突出した状態を実線で示している。
【図２】標識球体が路面下に没動した状態を実線で示す縦断面図である。
【図３】本発明の他の実施例を示す道路鋲の縦断面図であり、標識球体が路面から突出した状態を実線で示している。
【符号の説明】
【００３７】
Ａ  道路鋲                          Ｓ  隙間
１  路面                            ２  凹所
２ａ  標識球体の収納領域            ２ｂ  標識球体の昇降路
２ｃ  収納枠                        ２ｄ  底壁
２ｅ  係合部                        ３  標識球体
３ａ  外表面                        ４  押圧手段（弾性体）
５  係止孔                          ５ａ  緩衝突起
６  仕切手段                        ６ａ  伸縮ケース
６ｂ  周壁                          ６ｃ  フランジ部
６ｄ  受け板                        ６ｅ  台座
６ｆ  係合部                        ７  上蓋
７ａ  固定手段                      ７ｂ  環状溝
８  弁（通気弁）                    ９  空間
【図１】
2006241895.tif 000003
【図２】
2006241895.tif 000004
【図３】
2006241895.tif 000005